(57)【特許請求の範囲】
【請求項１】
コンクリートを打設する前のデッキプレートに設置され、前記コンクリートと前記デッキプレートとから作られたスラブの所定の箇所に貫通孔を形成するときに用いるスラブ用スリーブ材において、
前記スラブ用スリーブ材が、前記デッキプレートから上方へ延びていて前記コンクリートを打設した後に全体が該コンクリートに埋没する中空の第１スリーブ材と、前記第１スリーブ材の上方に配置される第２スリーブ材とから形成され、
前記第１スリーブ材が、前記デッキプレートに固定手段によって固定される下端部と、前記第２スリーブ材に連結手段によって着脱可能に連結される上端部と、前記上端部と前記下端部との間に延びる中間部とを有し、前記第２スリーブ材が、前記第１スリーブ材の上端部に前記連結手段によって着脱可能に連結されて前記コンクリートに埋没する連結下端部と、前記連結下端部から上方へ延びていて前記コンクリートの上面から上方へ露出する露出部と、前記露出部の上端縁に囲繞された上端開口を塞ぐ蓋部とを有し、
前記連結手段が、前記第２スリーブ材の連結下端部の内周面から下方へ延びていて前記第１スリーブ材の内周面に当接するとともに、前記第２スリーブ材の連結下端部の周り方向へ所定寸法離間して並ぶズレ止めプレートであり、
前記スラブ用スリーブ材では、それを設置した前記デッキプレートに前記コンクリートが打設され、該コンクリートが硬化した後、前記第２スリーブ材が前記第１スリーブ材から分離されることで、前記スラブにその厚み方向へ貫通する前記貫通孔が形成されることを特徴とするスラブ用スリーブ材。
【請求項２】
前記連結手段が、互いに連結された前記第１スリーブ材の上端部の外周面と前記第２スリーブ材の連結下端部の外周面とに貼着された止水テープであり、前記スラブ用スリーブ材では、前記第１スリーブ材の外周面と前記第２スリーブ材の外周面とが面一になった状態で該第１スリーブ材と該第２スリーブ材とが連結され、前記第１スリーブ材の上端部と前記第２スリーブ材の連結下端部との間の隙間が前記止水テープによって塞がれている請求項１に記載のスラブ用スリーブ材。
【請求項３】
前記第２スリーブ材の露出部の上端縁には、該第２スリーブ材の径方向外方へ延びる把持可能なフランジが形成されている請求項１または請求項２に記載のスラブ用スリーブ材。
【請求項４】
前記第２スリーブ材の蓋部には、該蓋部から上方に延びる取っ手が取り付けられている請求項１ないし請求項３いずれかに記載のスラブ用スリーブ材。
【請求項５】
前記スラブ用スリーブ材では、それを設置した前記デッキプレートに前記コンクリートが打設されたときに、前記第１スリーブ材の上端部と前記第２スリーブ材の連結下端部とが前記コンクリートの上面の下方近傍に位置する請求項１ないし請求項４いずれかに記載のスラブ用スリーブ材。
【請求項６】
前記スラブ用スリーブ材では、前記第１スリーブ材と前記第２スリーブ材とのうちの少なくとも該第１スリーブ材が紙から作られ、前記コンクリートが硬化した後に前記貫通孔から第１スリーブ材が取り除かれる請求項１ないし請求項５いずれかに記載のスラブ用スリーブ材。
【請求項７】
前記第１スリーブ材と前記第２スリーブ材とが、金属または合成樹脂のいずれかから作られている請求項１ないし請求項５いずれかに記載のスラブ用スリーブ材。
【発明の詳細な説明】
【技術分野】
【０００１】
本発明は、コンクリートとデッキプレートとから作られたスラブの所定の箇所に貫通孔を形成するときに用いるスラブ用スリーブ材に関する。
【背景技術】
【０００２】
床スラブに貫通孔を形成するときに使用するスラブ用スリーブ材を、コンクリート打設前のデッキプレートに設置するためのスリーブ設置用治具が開示されている（特許文献１参照）。スラブ用スリーブ材が特許文献１に開示のスリーブ設置用治具によってデッキプレートに設置された後、デッキプレートの上にコンクリートが打設される。デッキプレートにコンクリートが打設されると、スラブ用スリーブ材の略下半分がコンクリートに埋没し、スラブ用スリーブ材の略上半分がコンクリートの上面から上方へ露出する。コンクリートを所定期間養生し、コンクリートが硬化した後、貫通孔に対する配管工事を行う場合、スリーブ設置用治具を形成するキャップ部材、固定部材、蓋部材、棒状部材を取り外し、スラブ用スリーブ材の内側に延びるデッキプレートを切除してデッキプレートに配管用の開口を形成する。
【先行技術文献】
【特許文献】
【０００３】
【特許文献１】特開２０１２−１６７４４３号公報
【発明の概要】
【発明が解決しようとする課題】
【０００４】
前記特許文献１に開示されたスラブ用スリーブ材は、それを利用してスリーブ工事を行う場合、スリーブ材がコンクリートから上方へ露出するから、躯体工事中の貫通孔への雨水の進入を防ぐことができるが、この貫通孔にたとえば防火区画処理用の耐火キャップ部材、熱膨張性耐熱シール等の各部材を設置する必要がある場合、コンクリートから上方へ露出するスリーブ材の上半分を切除しなければならず、その切除作業を行う手間と時間とを要し、スリーブ工事を短時間に効率よく行うことができない。また、スラブ用スリーブ材の上半分を切除する場合、電動カッターを使用してスリーブ材を切断するが、その切除作業を行うことができる作業員を配置しなければならず、作業員に支払う人件費がかかり、スリーブ工事を廉価に行うことができない。電動カッターを使用したスリーブ材の切断時に、四方に火花が散るから、火気厳禁の箇所において電動カッターを使用することができず、作業員が金鋸による手作業でスリーブ材を切断しなければならない。さらに、防火区画処理用の耐火キャップ部材を取り付け可能にするためにスラブの上面と貫通孔の内壁面との交差箇所を直角に成形しなければならず、各作業に手間と時間とを要し、スリーブ工事を短時間に効率よく行うことができない。
【０００５】
本発明の目的は、コンクリートとデッキプレートとから作られたスラブの所定の箇所に貫通孔を容易に形成することができ、火気厳禁の箇所を含むあらゆる箇所において、スラブの貫通孔に対するスリーブ工事を短時間に効率よく行うことができるスラブ用スリーブ材を提供することにある。本発明の目的は、作業員を減らしつつ、スリーブ工事を廉価に行うことができるスラブ用スリーブ材を提供することにある。
【課題を解決するための手段】
【０００６】
前記課題を解決するための本発明の前提は、コンクリートを打設する前のデッキプレートに設置され、コンクリートとデッキプレートとから作られたスラブの所定の箇所に貫通孔を形成するときに用いるスラブ用スリーブ材である。
【０００７】
前記前提における本発明の特徴としては、スラブ用スリーブ材が、デッキプレートから上方へ延びていてコンクリートを打設した後に全体がコンクリートに埋没する中空の第１スリーブ材と、第１スリーブ材の上方に配置される第２スリーブ材とから形成され、第１スリーブ材が、デッキプレートに固定手段によって固定される下端部と、第２スリーブ材に連結手段によって着脱可能に連結される上端部と、上端部と下端部との間に延びる中間部とを有し、第２スリーブ材が、第１スリーブ材の上端部に連結手段によって着脱可能に連結されてコンクリートに埋没する連結下端部と、連結下端部から上方へ延びていてコンクリートの上面から上方へ露出する露出部と、露出部の上端縁に囲繞された上端開口を塞ぐ蓋部とを有し、連結手段が、第２スリーブ材の連結下端部の内周面から下方へ延びていて第１スリーブ材の内周面に当接するとともに、第２スリーブ材の連結下端部の周り方向へ所定寸法離間して並ぶズレ止めプレートであり、スラブ用スリーブ材では、それを設置したデッキプレートにコンクリートが打設され、コンクリートが硬化した後、第２スリーブ材が第１スリーブ材から分離されることで、スラブにその厚み方向へ貫通する貫通孔が形成されることにある。
【０００８】
本発明の他の一例としては、連結手段が互いに連結された第１スリーブ材の上端部の外周面と第２スリーブ材の連結下端部の外周面とに貼着された止水テープであり、スラブ用スリーブ材では、第１スリーブ材の外周面と第２スリーブ材の外周面とが面一になった状態で第１スリーブ材と第２スリーブ材とが連結され、第１スリーブ材の上端部と第２スリーブ材の連結下端部との間の隙間が止水テープによって塞がれている。
【０００９】
本発明の他の一例として、第２スリーブ材の露出部の上端縁には、第２スリーブ材の径方向外方へ延びる把持可能なフランジが形成されている。
【００１０】
本発明の他の一例として、第２スリーブ材の蓋部には、蓋部から上方に延びる取っ手が取り付けられている。
【００１１】
本発明の他の一例として、スラブ用スリーブ材では、それを設置したデッキプレートにコンクリートが打設されたときに、第１スリーブ材の上端部と第２スリーブ材の連結下端部とがコンクリートの上面の下方近傍に位置する。
【００１２】
本発明の他の一例として、スラブ用スリーブ材では、第１スリーブ材と第２スリーブ材とのうちの少なくとも第１スリーブ材が紙から作られ、コンクリートが硬化した後に貫通孔から第１スリーブ材が取り除かれる。
【００１３】
本発明の他の一例としては、第１スリーブ材と第２スリーブ材とが金属または合成樹脂のいずれかから作られている。
【発明の効果】
【００１４】
本発明にかかるスラブ用スリーブ材によれば、コンクリートが所定期間養生されてコンクリートが硬化した後、第１スリーブ材と第２スリーブ材との連結を解除して第２スリーブ材を第１スリーブ材から取り外す（分離する）ことで、第１スリーブ材に囲繞された貫通孔がスラブに形成されるから、本発明にかかるスラブ用スリーブ材を利用することで、コンクリートとデッキプレートとから作られたスラブの所定の箇所に貫通孔を容易に形成することができる。スラブ用スリーブ材は、それを形成する第１スリーブ材の全体と第２スリーブ材の連結下端部とがコンクリートに埋没し、第２スリーブ材の露出部がコンクリートから露出することで、スラブの上に溜まった雨水の階下への進入を防ぐことができる。スラブ用スリーブ材は、第１スリーブ材と第２スリーブ材とを分離したときに、第１スリーブ材がコンクリートに埋没し、第１スリーブ材がコンクリートの上面から上方へ露出することがないから、貫通孔に対する配管工事を行う場合、従来技術のスリーブ材と異なり、第１スリーブ材を切除する必要はなく、切除作業にかかる手間と時間とを省くことができ、配管工事を短時間に効率よく行うことができる。スラブ用スリーブ材は、第１スリーブ材を切除する必要がないから、配管工事にともなってスラブから上方へ露出する第１スリーブ材の部分を切除する作業員を配置する必要はなく、作業員を配置する場合と比較し、作業員に支払う人件費を省くことができ、スリーブ工事を廉価に行うことができる。スラブ用スリーブ材は、第１スリーブ材を切除する必要がないから、電動カッターを使用する必要もなく、火花が散る心配もないから、火気厳禁の箇所においてスラブ用スリーブ材を利用した配管工事を行うことができるとともに、金鋸による手作業で第１スリーブ材を切断する必要もないから、火気厳禁の箇所においてスリーブ材を利用したスリーブ工事を短時間に効率よく行うことができる。スラブ用スリーブ材は、第１スリーブ材が第２スリーブ材の蓋部によって閉塞されるから、スラブの施工箇所が屋外に面し、コンクリートの打設から建物の屋根や壁が設置されるまでの期間中に雨が降ったとしても、第１および第２スリーブ材への雨の進入を防ぐことができ、貫通孔から階下への雨漏れ（雨の滴下）を防ぐことができる。スラブ用スリーブ材は、スラブの貫通孔に位置する第１スリーブ材から取り外された第２スリーブ材を他の第１スリーブ材に再び連結することで、第２スリーブ材を再利用することができるから、第２スリーブ材が無駄なることはなく、資材の節約を図ることができる。なお、従来技術のスラブ用スリーブ材を利用して形成されたスラブの貫通孔に対する配管工事を行う場合、既述のようにコンクリートから上方へ露出するスリーブ材の上半分を切除する際に貫通孔の上部が損壊し、貫通孔にたとえば防火区画処理用の耐火キャップ部材、熱膨張性耐熱シール等の各部材を設置することが困難になる場合がある。しかし、本発明のスラブ用スリーブ材は、それを利用して貫通孔を作った場合、スラブの上面と貫通孔の内壁面との交差箇所が直角に成形されるとともに、交差箇所が損壊することはなく、防火区画処理用の各部材を容易かつ確実に設置することができる。
【００１５】
連結手段が第２スリーブ材の連結下端部の内周面から下方へ延びていて第１スリーブ材の内周面に当接するズレ止めプレートであり、ズレ止めプレートが第２スリーブ材の連結下端部の周り方向へ所定寸法離間して並んでいるスラブ用スリーブ材は、第１スリーブ材に挿入されたそれらズレ止めプレートが第１スリーブ材の内周面に当接することで、第１スリーブ材の上端部に対する第２スリーブ材の連結下端部の位置が決まるから、それらズレ止めプレートを第１スリーブ材に挿入するだけで第１スリーブ材と第２スリーブ材とを容易に連結することができる。スラブ用スリーブ材は、第１スリーブ材の上端部と第２スリーブ材の連結下端部とを連結したときに、第２スリーブ材の周り方向へ並ぶそれらズレ止めプレートが第１スリーブ材の内周面に当接し、第１スリーブ材に対する第２スリーブ材の径方向へのズレ動きがズレ止めプレートによって阻止されるから、第１スリーブ材の上端縁と第２スリーブ材の下端縁とを当接させた状態で第１スリーブ材と第２スリーブ材との連結を確実に維持することができる。スラブ用スリーブ材は、ズレ止めプレートによって第１スリーブ材と第２スリーブ材との連結が維持されるから、スラブ用スリーブ材を設置したデッキプレートにコンクリートを打設したときに、コンクリートの側圧が第２スリーブ材に作用したとしても、第１スリーブ材から第２スリーブ材がズレ動くことはなく、コンクリートの打設中における第１スリーブ材からの第２スリーブ材の外れを防ぐことができる。
【００１６】
連結手段が互いに連結された第１スリーブ材の上端部の外周面と第２スリーブ材の連結下端部の外周面とに貼着された止水テープであり、第１スリーブ材の外周面と第２スリーブ材の外周面とが面一になった状態で第１スリーブ材と第２スリーブ材とが連結され、第１スリーブ材の上端部と第２スリーブ材の連結下端部との間の隙間が止水テープによって塞がれているスラブ用スリーブ材は、第１スリーブ材の上端部の外周面と第２スリーブ材の連結下端部の外周面とに止水テープを貼着することで、第１スリーブ材と第２スリーブ材とを連結することができ、止水テープを利用することで第１スリーブ材と第２スリーブ材とを容易に連結することができる。スラブ用スリーブ材は、止水テープによって第１スリーブ材の上端部と第２スリーブ材の連結下端部との間の隙間が塞がれるから、デッキプレートにコンクリートを打設した後に、その隙間から第１スリーブ材や第２スリーブ材の内側への水分やコンクリートの滲入を防ぐことができ、貫通孔からの水分やコンクリートのノロの滴下を防ぐことができる。
【００１７】
第２スリーブ材の径方向外方へ延びる把持可能なフランジが第２スリーブ材の露出部の上端縁に形成されているスラブ用スリーブ材は、第２スリーブ材の露出部の上端縁に形成されたフランジを把持して第２スリーブ材を第１スリーブ材の上方に引っ張り上げることができるから、スラブ用スリーブ材を設置したデッキプレートにコンクリートを打設し、コンクリートが硬化した後に第１スリーブ材と第２スリーブ材とを分離する場合、第２スリーブ材のフランジを利用して第２スリーブ材を第１スリーブ材から容易に分離することができ、第１スリーブ材と第２スリーブ材とから形成されたスラブ用スリーブ材を利用してスラブに貫通孔を簡単に作ることができる。
【００１８】
第２スリーブ材の蓋部から上方に延びる取っ手が蓋部に取り付けられているスラブ用スリーブ材は、第２スリーブ材の蓋部に取り付けられた取っ手を把持して第２スリーブ材を第１スリーブ材の上方に引っ張り上げることができるから、スラブ用スリーブ材を設置したデッキプレートにコンクリートを打設し、コンクリートが硬化した後に第１スリーブ材と第２スリーブ材とを分離する場合、第２スリーブ材の取っ手を利用して第２スリーブ材を第１スリーブ材から容易に分離することができ、第１スリーブ材と第２スリーブ材とから形成されたスラブ用スリーブ材を利用してスラブに貫通孔を簡単に作ることができる。
【００１９】
スラブ用スリーブ材を設置したデッキプレートにコンクリートが打設されたときに、第１スリーブ材の上端部と第２スリーブ材の連結下端部とがコンクリートの上面の下方近傍に位置するスラブ用スリーブ材は、コンクリートが硬化した後、第１スリーブ材と第２スリーブ材とを分離させるときに、第２スリーブ材の連結下端部がコンクリートの上面の下方近傍（上面の直下）に位置することで、第２スリーブ材をコンクリートから容易に引き抜くことができ、第１スリーブ材と第２スリーブ材とを容易に分離させることができる。スラブ用スリーブ材は、第１スリーブ材から第２スリーブ材を簡単に取り外すことができるから、本発明にかかるスラブ用スリーブ材を利用することで、スラブの所定の箇所に貫通孔を容易に形成することができる。
【００２０】
第１スリーブ材と第２スリーブ材とのうちの少なくとも第１スリーブ材が紙から作られ、コンクリートが硬化した後に貫通孔から紙製の第１スリーブ材が取り除かれるスラブ用スリーブ材は、第１スリーブ材が紙から作られることで、第２スリーブ材から分離されて貫通孔に残存する第１スリーブ材を貫通孔から容易に取り除くことができ、貫通孔に第１スリーブ材を残さないという要求に応えることができる。スラブ用スリーブ材は、第１スリーブ材や第２スリーブ材を紙から作ることで、第１スリーブ材や第２スリーブ材を廉価に作成することができ、その結果、スラブ用スリーブ材を廉価に作ることができる。スラブ用スリーブ材は、第１および第２スリーブ材が相当の強度を有する厚紙から作られている場合、デッキプレートにコンクリートを打設したときのコンクリートの側圧に第１スリーブ材や第２スリーブ材が十分に耐えることができ、コンクリートを打設したときの第１および第２スリーブ材の不用意な変形を防ぐことができる。
【００２１】
第１スリーブ材と第２スリーブ材とが金属または合成樹脂のいずれかから作られているスラブ用スリーブ材は、第１スリーブ材と第２スリーブ材とを金属または合成樹脂から作ることで、第１スリーブ材や第２スリーブ材の強度を確保することができるから、デッキプレートにコンクリートを打設したときのコンクリートの側圧に第１スリーブ材や第２スリーブ材が十分に耐えることができ、コンクリートを打設したときの第１および第２スリーブ材の不用意な変形を防ぐことができる。スラブ用スリーブ材は、第１スリーブ材や第２スリーブ材の変形を防ぐことができるから、スラブの所定の箇所に配管工事に要求される設計どおりの開口寸法の所定形状の貫通孔を作ることができる。スラブ用スリーブ材は、第２スリーブ材が金属または合成樹脂のいずれかから作られている場合、スラブの貫通孔に位置する第１スリーブ材から取り外された第２スリーブ材を他の第１スリーブ材に再び連結することで、第２スリーブ材を何度でも再利用することができるから、第２スリーブ材が無駄なることはなく、資材の節約を図ることができる。
【図面の簡単な説明】
【００２２】
【図１】一例として示すスラブ用スリーブ材の斜視図。
【図２】図１のスラブ用スリーブ材の側面図。
【図３】一例として示す第１スリーブ材の斜視図。
【図４】図３の第１スリーブ材の側面図。
【図５】一例として示す第２スリーブ材の斜視図。
【図６】図５の第２スリーブ材の側面図。
【図７】デッキプレートに設置されたスラブ用スリーブ材の斜視図。
【図８】コンクリートを打設した後のスラブ用スリーブ材の斜視図。
【図９】コンクリートを打設した後のスラブ用スリーブ材の側面図。
【図１０】第１スリーブ材と第２スリーブ材とを分離するときのスラブ用スリーブ材の側面図。
【図１１】スラブに形成された貫通孔の側面図。
【図１２】他の一例として示すスラブ用スリーブ材の側面図。
【図１３】他の一例として示す第２スリーブ材の側面図。
【発明を実施するための形態】
【００２３】
一例として示すスラブ用スリーブ材１０Ａの斜視図である図１等の添付の図面を参照し、本発明にかかるスラブ用スリーブ材の詳細を説明すると、以下のとおりである。なお、図２は、図１のスラブ用スリーブ材１０Ａの側面図であり、図３は、一例として示す第１スリーブ材１１の斜視図である。図４は、図３の第１スリーブ材１１の側面図であり、図５は、一例として示す第２スリーブ材１２の斜視図である。図６は、図５の第２スリーブ材１２の側面図である。図１では、上下方向を矢印Ａ、径方向を矢印Ｂで示し、周り方向を矢印Ｃで示す。
【００２４】
スラブ用スリーブ材１０Ａは、コンクリート３６を打設する前のデッキプレート３５（図７参照）の上面４１に設置（固定）され、コンクリート３６およびデッキプレート３５から作られたスラブ３８（コンクリートスラブ）の所定の箇所に貫通孔３７（配管用円形空洞）を形成する場合に利用される。スラブ用スリーブ材１０Ａは、中空の第１スリーブ材１１と、第１スリーブ材１１の上方に配置される第２スリーブ材１２とから形成されている。
【００２５】
第１スリーブ材１１は、図３，４に示すように、円筒状（真円筒）に成型された上下方向へ延びる周壁１３を備えている。周壁１３は、その断面形状が円形を呈し、下端部１４および上端部１６と、上下端部１４，１６の間に延びる中間部１５とを有する。第１スリーブ材１１の上下方向の長さ寸法Ｌ１は、構築するスラブ３８の設計厚み寸法に応じて決定され、長さ寸法Ｌ１＝（スラブ３８の設計厚み寸法（ｍｍ）−後記するＬ８（ｍｍ））の式によって算出される。
【００２６】
第１スリーブ材１１は、金属または合成樹脂（熱可塑性合成樹脂）あるいは紙（紙スリーブ）のいずれかから作られている。なお、１本の一方向へ長い金属製や合成樹脂製、紙製のスリーブ材を切断してそのスリーブ材を２つ以上に分割し、第１スリーブ材１１と第２スリーブ材１２とを作ることができる。
【００２７】
第１スリーブ材１１の周壁１３の下端部１４は、固定手段（後記する固定部材１７およびガムテープ４０）によってデッキプレート３５に固定される。第１スリーブ材１１の周壁１３の上端部１６は、連結手段（後記するズレ止めプレート２９および止水テープ３４）によって第２スリーブ材１２に着脱可能に連結されている。なお、第１スリーブ材１１が角筒状に成型され、その断面形状が四角形であってもよい。角筒状である第１スリーブ材１１を利用した場合、スラブ３８の所定の箇所に四角形の貫通孔３７（配管用四角形空洞）が形成される。
【００２８】
第１スリーブ材１１の周壁１３の下端部１４の外周面には、Ｌ字型の４個の固定部材１７（固定アングル）（固定手段）が取り付けられている。それら固定部材１７は、第１スリーブ材１１の下端部１４の周り方向へ所定寸法離間（周り方向へ９０度づつ等間隔離間）して並んでいる。固定部材１７は、第１スリーブ材１１の周壁１３に並行して延びていて周壁１３に連結（固定）された第１連結板１８と、第１連結板１８に対して略直角に折れ曲がり、第１スリーブ材１１の径方向へ延びていてデッキプレート３５に連結（固定）される第２連結板１９とを有する。第２連結板１９には、ビス３９（ネジ）を螺着する孔２０が穿孔されている。
【００２９】
固定部材１７の第１連結板１８の長さ寸法Ｌ２は２０〜３０ｍｍの範囲にあり、第２連結板１９の長さ寸法Ｌ３は３０〜４０ｍｍの範囲にあることが好ましい。第１および第２連結板１８，１９の幅寸法Ｌ４は１５〜２０ｍｍの範囲にあることが好ましい。なお、第１および第２連結板１８，１９の長さ寸法Ｌ２，Ｌ３や幅寸法Ｌ４に特に制限はなく、第１スリーブ材１１の大きさに合わせて長さ寸法Ｌ２，Ｌ３や幅寸法Ｌ４が決定される。また、固定部材１７の個数に特に制限はなく、３個または５個以上の固定部材１７が第１スリーブ材１１の下端部１４に取り付けられていてもよい。
【００３０】
第１スリーブ材１１が金属から作られている場合、固定部材１７が第１スリーブ材１１と同一の材質の金属から作られていることが好ましく、金属製の固定部材１７の第１連結板１８が第１スリーブ材１１の周壁１３の外周面に溶接によって固定される。第１スリーブ材１１が合成樹脂から作られている場合、固定部材１７が第１スリーブ材１１と同一の合成樹脂から作られていることが好ましく、合成樹脂製の固定部材１７の第１連結板１８が第１スリーブ材１１の周壁１３の外周面に接着剤または熱融着によって固定される。
【００３１】
第１スリーブ材１１や固定部材１７が金属または合成樹脂から作られている場合、第１連結板１８に穿孔された孔（図示せず）と第１スリーブ材１１の周壁１３に穿孔された孔（図示せず）とに挿通されたリベット（図示せず）またはビス（図示せず）によって、金属製または合成樹脂製の固定部材１７の第１連結板１８が第１スリーブ材１１の周壁１３の外周面に固定される。
【００３２】
第１スリーブ材１１が紙から作られている場合、固定部材１７が金属または合成樹脂から作られ、金属製または合成樹脂製の固定部材１７の第１連結板１８が第１スリーブ材１１の周壁１３の外周面に接着剤によって固定される。
【００３３】
第２スリーブ材１２は、図５，６に示すように、円筒状（真円筒）に成型された上下方向へ延びる周壁２１と、円盤状（真円）に成型された径方向へ延びる頂壁２２とを備えている。周壁２１は、その断面形状が円形を呈し、連結下端部２３と露出中間部２４（露出部）および露出上端部２５（露出部）とを有する。頂壁２２は、その平面形状が円形を呈し、露出上端部２５（周壁２１）の上端縁に囲繞された上端開口を塞ぐ蓋部２６を画成している。
【００３４】
第２スリーブ材１２の上下方向の長さ寸法Ｌ５は１００〜１５０ｍｍの範囲にあることが好ましいが、第２スリーブ材１２の長さ寸法Ｌ５に特に制限はなく、第１スリーブ材１１の長さ寸法Ｌ１にあわせて第２スリーブ材１２の長さ寸法Ｌ５が決定される。第２スリーブ材１２（周壁２１）の直径は、第１スリーブ材１１（周壁１３）のそれと同一である。
【００３５】
第２スリーブ材１２は、金属または合成樹脂（熱可塑性合成樹脂）あるいは紙（紙スリーブ）のいずれかから作られている。なお、第２スリーブ材１２の材質（素材）が第１スリーブ材１１のそれと同一である必要はないが、第１スリーブ材１１と第２スリーブ材１２とが同一の材質から作られていることが好ましい。また、第１スリーブ材１１の周壁１３が角筒状に成型されている場合、第２スリーブ材１２の周壁２１も角筒状に成型される。
【００３６】
第２スリーブ材１２の頂壁２２（蓋部２６）は、その外周縁部２７が周壁２１の露出上端部２８に密着するように露出上端部２８に対してかしめられることで、外周縁部２７が露出上端部２８に強固に固定されている。なお、第２スリーブ材１１が金属から作られている場合、頂壁２２（蓋部２６）の外周縁部２７が周壁２１の露出上端部２８に溶接によって固定されていてもよい。また、第２スリーブ材１２が合成樹脂から作られている場合、頂壁２２（蓋部２６）の外周縁部２７が周壁２１の露出上端部２８に接着剤または熱融着によって固定されていてもよい。さらに、第２スリーブ材１２が紙から作られている場合、頂壁２２（蓋部２６）の外周縁部２７が周壁２１の露出上端部２８に接着剤によって固定されていてもよい。
【００３７】
第２スリーブ材１２の露出上端部２８の上端縁には、第２スリーブ材１２の周り方向全域に作られて径方向外方へ延びる把持可能なフランジ２８が形成されている。フランジ２８は、第２スリーブ材１２の径方向外方へ延びる頂壁２２（蓋部２６）の外周縁部２７によって画成されている。
【００３８】
第２スリーブ材１２の周壁２１の連結下端部２３の内周面には、４個のズレ止めプレート２９（ズレ止め板）（連結手段）が取り付けられている。それらズレ止めプレート２９は、第２スリーブ材１２の連結下端部２３の周り方向へ所定寸法離間（周り方向へ９０度づつ等間隔離間）して並んでいる。
【００３９】
ズレ止めプレート２９は、第２スリーブ材１２の周壁２１に並行して延びていて周壁２１に連結（固定）された連結板３０と、連結板３０につながって第２スリーブ材１２の連結下端部２３の下端縁３１から下方へ延びる（連結下端部２３の下端縁３１から下方へ露出する）差込板３２とを有する。
【００４０】
ズレ止めプレート２９の連結板３０および差込板３２の上下方向の長さ寸法Ｌ６は２０〜３０ｍｍの範囲にあり、連結板３０および差込板３２の幅寸法Ｌ７は１５〜２０ｍｍの範囲にあることが好ましい。なお、連結板３０や差込板３２の長さ寸法Ｌ６や幅寸法Ｌ７に特に制限はなく、第１および第２スリーブ材１１，１２の大きさに合わせて長さ寸法Ｌ６や幅寸法Ｌ７が決定される。また、ズレ止めプレート２９の個数に特に制限はなく、３個または５個以上のズレ止めプレート２９が第２スリーブ材１２の連結下端部２３に取り付けられていてもよい。
【００４１】
第２スリーブ材１２が金属から作られている場合、ズレ止めプレート２９が第２スリーブ材１２と同一の材質の金属から作られていることが好ましく、金属製のズレ止めプレート２９の連結板３０が第２スリーブ材１２の周壁２１の内周面に溶接によって固定される。第２スリーブ材１２が合成樹脂から作られている場合、ズレ止めプレート２９が第２スリーブ材１２と同一の合成樹脂から作られていることが好ましく、合成樹脂製のズレ止めプレート２９の連結板３０が第２スリーブ材１２の周壁２１の内周面に接着剤または熱融着によって固定される。
【００４２】
第２スリーブ材１２やズレ止めプレート２９が金属または合成樹脂から作られている場合、連結板３０に穿孔された孔（図示せず）と第２スリーブ材１２の周壁２１に穿孔された孔（図示せず）とに挿通されたリベット（図示せず）またはビス（図示せず）によって、金属製または合成樹脂製のズレ止めプレート２９の連結板３０が第２スリーブ材１２の周壁２１の内周面に固定される。
【００４３】
第２スリーブ材１２が紙から作られている場合、ズレ止めプレート２９が金属または合成樹脂あるいは紙から作られ、金属製または合成樹脂製あるいは紙製のズレ止めプレート２９の連結板３０が第２スリーブ材１２の周壁２１の内周面に接着剤によって固定される。
【００４４】
第１スリーブ材１１や第２スリーブ材１２が紙から作られている場合、コンクリート３６の硬化後に貫通孔３７から第１スリーブ材１１を除去するときに金鋸やバール等の工具を使用せずに第１スリーブ材１１を取り除くことができる。第１スリーブ材１１と第２スリーブ材１２とが錆び難い金属や防錆処理が施された金属または合成樹脂のいずれかから作られている場合、第１および第２スリーブ材１１，１２における錆の発生を防ぐことができる。
【００４５】
スラブ用スリーブ材１０Ａにおける第１スリーブ材１１と第２スリーブ材１２との組立手順は、以下のとおりである。第１スリーブ材１１の上に第２スリーブ材１２を配置し、第２スリーブ材１２のズレ止めプレート２９の差込板３２を第１スリーブ材１１の内側に差し込む（挿入する）。それらズレ止めプレート２９の差込板３２を第１スリーブ材１１の内側に差し込むと、差込板３２が第１スリーブ材１１の周壁１３の内周面に当接し、第１スリーブ材１１の上端部１６に対する第２スリーブ材１２の連結下端部２３の位置が決まり、第１スリーブ材１１が第２スリーブ材１２の下に位置し、第２スリーブ材１２が第１スリーブ材１１の上に位置した状態で、第１スリーブ材１１と第２スリーブ材１２とが上下方向へつながる。
【００４６】
なお、差込板３２を第１スリーブ材１１に差し込んで第１および第２スリーブ材１１，１２を連結すると、第１スリーブ材１１の上端部１６の上端縁３３と第２スリーブ材１２の連結下端部２３の下端縁３１とが互いに当接するとともに、第１スリーブ材１１の外周面と第２スリーブ材１２の外周面とが面一になった状態で、第１スリーブ材１１と第２スリーブ材１２とが上下方向へ並ぶ。
【００４７】
スラブ用スリーブ材１０Ａは、第１スリーブ材１１に差し込まれたズレ止めプレート２９の差込板３２が第１スリーブ材１１の内周面に当接することで、第１スリーブ材１１の上端部１６に対する第２スリーブ材１２の連結下端部２３の位置が決まるから、それらズレ止めプレート２９の差込板３２を第１スリーブ材１１に挿入するだけで第１スリーブ材１１と第２スリーブ材１２とを容易に連結することができる。
【００４８】
スラブ用スリーブ材１０Ａは、第１スリーブ材１１の上端部１６と第２スリーブ材１２の連結下端部２３とを連結したときに、第２スリーブ材１２の周り方向へ並ぶそれらズレ止めプレート２９の差込板３２が第１スリーブ材１１の内周面に当接し、第１スリーブ材１１に対する第２スリーブ材１２の径方向へのズレ動きがズレ止めプレート２９によって阻止されるから、第１スリーブ材１１の上端縁３３と第２スリーブ材１２の下端縁３１とを当接させた状態で第１スリーブ材１１と第２スリーブ材１２との連結を確実に維持することができる。
【００４９】
第１および第２スリーブ材１１，１２を連結した後、互いに連結された第１スリーブ材１１の上端部１６の外周面と第２スリーブ材１２の連結下端部２３の外周面とに止水テープ３４（防水テープ）を貼着する。スラブ用スリーブ材１０Ａでは、第１スリーブ材１１の周壁１３の内周面に当接するズレ止めプレート２９の差込板３２（連結手段）と第１および第２スリーブ材１１，１２の周り方向へ延びる止水テープ３４（連結手段）とによって第１および第２スリーブ材１１，１２が着脱可能に連結される。なお、第１スリーブ材１１の上端部１６の上端縁３３と第２スリーブ材１２の連結下端部２３の下端縁３１との間の隙間が止水テープ３４によって塞がれる。
【００５０】
スラブ用スリーブ材１０Ａは、第１スリーブ材１１の上端部１６の外周面と第２スリーブ材１２の連結下端部２３の外周面とに止水テープ３４を貼着することで、第１スリーブ材１１と第２スリーブ材１２とを連結することができ、止水テープ３４を利用することで第１スリーブ材１１と第２スリーブ材１２とを容易に連結することができる。
【００５１】
第２スリーブ材１２にズレ止めプレート２９が取り付けられていることが好ましいが、第２スリーブ材１２にズレ止めプレート２９が取り付けられていなくてもよい。この場合、第１スリーブ材１１の上端部１６の上端縁３３と第２スリーブ材１２の連結下端部２３の下端縁３１とが互いに当接するように第１スリーブ材１１と第２スリーブ材１２とが上下方向へ並べ、第１スリーブ材１１の上端部１６の外周面と第２スリーブ材１２の連結下端部２３の外周面とに止水テープ３４を貼着し、止水テープ３４によって第１および第２スリーブ材１１，１２の連結を維持する。
【００５２】
図７は、デッキプレート３５に設置されたスラブ用スリーブ材１０Ａの斜視図であり、図８は、コンクリート３６を打設した後のスラブ用スリーブ材１０Ａの斜視図である。図９は、コンクリート３６を打設した後のスラブ用スリーブ材１０Ａの側面図であり、図１０は、第１スリーブ材１１と第２スリーブ材１２とを分離するときのスラブ用スリーブ材１０Ａの側面図である。図１１は、スラブ３８に形成された貫通孔３７の側面図である。
【００５３】
図８では、固定部材１７やズレ止めプレート２９、デッキプレート３５の図示を省略している。図９，１０，１１では、コンクリート３６を断面で示す。それら図では、デッキプレート３５の上面４１に配筋された鉄筋の図示を省略している。図８〜図１１では、第１スリーブ材１１とデッキプレート３５とに貼着されたガムテープ４０の図示を省略している。なお、それら図では、１個のスラブ用スリーブ材１０Ａがデッキプレート３５に設置されているが、実際には、複数個のスラブ用スリーブ材１０Ａが所定方向へ並んだ状態でデッキプレート３５に設置される。
【００５４】
このスラブ用スリーブ材１０Ａを利用してスラブ３８の所定の箇所に貫通孔３７を形成する手順は、以下のとおりである。スラブ用スリーブ材１０Ａをデッキプレート３５の上面４１の貫通孔形成箇所に対応する位置に載置する。デッキプレート３５に鉄筋を配筋すると同時にスラブ用スリーブ材１０Ａをデッキプレート３５に設置する場合、または、デッキプレート３５に鉄筋を配筋した後にスラブ用スリーブ材１０Ａをデッキプレート３５に設置する場合において、あらかじめスラブ用スリーブ材１０Ａを設置する位置を鉄筋工に伝えることで、スラブ用スリーブ材１０Ａの設置位置に鉄筋が位置しないようにデッキプレート３５に鉄筋が配筋される。
【００５５】
スラブ用スリーブ材１０Ａをデッキプレート３５の上に載置すると、第１スリーブ材１１の周壁１３の下端部１４に固定された固定部材１７の第２連結板１９がデッキプレート３５と並行して延びる。固定部材１７の第２連結板１９に穿孔された孔２０に対応するデッキプレート３５にビス３９を螺着するための孔（図示せず）を穿孔し、第２連結板１９の孔２０にビス３９を螺着するとともに、デッキプレート３５の孔にビス３９を螺着する。第２連結板１９の孔２０およびデッキプレート３５の孔にビス３９を螺着することで、ビス３９によってスラブ用スリーブ材１０Ａがデッキプレート３５に設置固定される。
【００５６】
ビス３９によるスラブ用スリーブ材１０Ａのデッキプレート３５への固定の別の方法として、第１スリーブ材１１の周壁１３の下端部１４（固定部材１７を含む）とデッキプレート３５の上面４１とにガムテープ４０（固定テープ）を貼着する。第１スリーブ材１１の周り方向へ延びるガムテープ４０によってスラブ用スリーブ材１０Ａがデッキプレート３５に固定される。ガムテープ４０は、第１スリーブ材１１の周り方向へ重なり合うように貼着されている。なお、ガムテープ４０の他に、止水テープ（防水テープ）を貼着してもよい。
【００５７】
第１スリーブ材１１に３個以上の固定部材１７が取り付けられていることが好ましいが、第１スリーブ材１１に固定部材１７が取り付けられていなくてもよい。この場合、第１スリーブ材１１の周壁１３の下端部１４とデッキプレート３５の上面４１とにガムテープ４０を貼着し、ガムテープ４０によってスラブ用スリーブ材１０Ａをデッキプレート３５に固定する。なお、スラブ用スリーブ材１０Ａの第１スリーブ材１１と第２スリーブ材１２との少なくとも一方と図示しない鉄筋とを結束線（針金）によって連結し、スラブ用スリーブ材１０Ａを鉄筋に固定することもできる。
【００５８】
スラブ用スリーブ材１０Ａをデッキプレート３５に設置（固定）した後、デッキプレート３５の上面４１にコンクリート３６を打設する。デッキプレート３５にコンクリート３６を打設すると、図８に示すように、第１スリーブ材１１の全体（固定部材１７を含む）がコンクリート３６に埋没するとともに、第２スリーブ材１２の連結下端部２３がコンクリート３６に埋没する。第２スリーブ材１２の露出中間部２４および露出上端部２５（蓋部２６を含む）は、コンクリート３６の上面４３から上方へ露出する。
【００５９】
第１および第２スリーブ材１１，１２が金属または合成樹脂あるいは相当の強度を有する厚紙から作られている場合、第１スリーブ材１１や第２スリーブ材１２の強度を確保することができるから、デッキプレート３５にコンクリート３６を打設したときのコンクリート３６の側圧が第１スリーブ材１１や第２スリーブ材１２の連結下端部２３に作用したとしても、コンクリート３６の側圧に第１スリーブ材１１や第２スリーブ材１２が十分に耐えることができ、コンクリート３６を打設したときの第１および第２スリーブ材１１，１２の不用意な変形を防ぐことができる。
【００６０】
スラブ用スリーブ材１０Ａを設置したデッキプレート３５にコンクリート３６を打設すると、第１スリーブ材１１の上端部１６と第２スリーブ材１２の連結下端部２３とがコンクリート３６の上面４３の下方近傍（直下）に位置する。コンクリート３６に埋没した第２スリーブ材１２の連結下端部２３では、コンクリート３６の上面４３から連結下端部２３の下端縁３１までの上下方向の寸法Ｌ８が１０〜３０ｍｍの範囲にある。なお、寸法Ｌ８は好ましくは２０ｍｍ程度である。
【００６１】
コンクリート３６の打設時には、コンクリート３６（スラブ３８）の厚さに厚さムラがあったり、表面形状にムラが生じるが、寸法Ｌ８を設けることで第２スリーブ材１２の連結下端部２３をコンクリート３６に埋没させることができ、スラブ３８上の雨水のスラブ用スリーブ材１０Ａの内側への進入を防ぐことができる。また、第１スリーブ材１１のスラブ３８の上面４３への露出を防ぐことができる。デッキプレート３５にコンクリート３６を打設した後、コンクリート３６の養生を行うことで、コンクリート３６が硬化する。
【００６２】
スラブ用スリーブ材１０Ａは、ズレ止めプレート２９によって第１スリーブ材１１と第２スリーブ材１２との連結が維持されるから、スラブ用スリーブ材１０Ａを設置したデッキプレート３５にコンクリート３６を打設したときに、コンクリート３６の側圧が第２スリーブ材１２の連結下端部２３に作用したとしても、第１スリーブ材１１に対して第２スリーブ材１２がズレ動くことはなく、コンクリート３６の打設中における第１スリーブ材１１からの第２スリーブ材１２の外れを防ぐことができる。
【００６３】
スラブ用スリーブ材１０Ａは、止水テープ３４によって第１スリーブ材１１の上端部１６の上端縁３３と第２スリーブ材１２の連結下端部２３の下端縁３１との間の隙間が塞がれるから、デッキプレート３５にコンクリート３６を打設した後に、その隙間から第１スリーブ材１１や第２スリーブ材１２の内側への水分やコンクリート３６のノロの滲入を防ぐことができる。また、コンクリート３６のノロが滲入した場合、そのノロによって貫通孔３７に凹凸が形成される場合があるが、ノロが滲入することがないから、平滑な壁面の貫通孔３７を形成することができる。
【００６４】
スラブ用スリーブ材１０Ａは、ガムテープ４０によって第１スリーブ材１１の下端部１４とデッキプレート３５の上面４１との間の隙間が塞がれるから、デッキプレート３５にコンクリート３６を打設した後に、その隙間から第１スリーブ材１１や第２スリーブ材１２の内側への水分やコンクリート３６の滲入を防ぐことができ、第１スリーブ材１１の内側に延びるデッキプレート３５が切除されている場合は貫通孔３７から下階への水分やコンクリート３６の滴下を防ぐことができる。
【００６５】
スラブ用スリーブ材１０Ａは、第１スリーブ材１１が第２スリーブ材１２の蓋部２６（頂壁２２）によって閉塞されるから、スラブ３８の施工箇所が屋外に面し、コンクリート３６の打設から建物の屋根や壁が設置されるまでの期間中に雨が降ったとしても、第１および第２スリーブ材１１，１２への雨の進入を未然に防ぐことができ、貫通孔３７から階下への雨漏れ（雨の滴下）を防ぐことができる。
【００６６】
コンクリート３６が硬化した後、図９に示すように、第１スリーブ材１１と第２スリーブ材１２との連結を解除する。第２スリーブ材１２の露出上端部２５に形成されたフランジ２８を把持し、第２スリーブ材１２を捩りながら、図１０に矢印で示すように、第２スリーブ材１２を第１スリーブ材１１の上方へ引っ張り上げる。
【００６７】
第２スリーブ材１２を引っ張り上げると、第１スリーブ材１１と第２スリーブ材１２との連結が解除され、第１スリーブ材１１から第２スリーブ材１２が取り外される（分離される）とともに、第２スリーブ材１２の連結下端部２３が硬化したコンクリート３６から引き抜かれる。なお、第２スリーブ材１２をコンクリート３６から引き抜くときに、寸法Ｌ８が必要以上に大きいと、第２スリーブ材１２の引き抜きが困難になる。そのために寸法Ｌ８を１０〜３０ｍｍの範囲にしている。第２スリーブ材１２が第１スリーブ材１１から分離されることで、スラブ３８にその厚み方向へ貫通する貫通孔３７が形成される。
【００６８】
第２スリーブ材１２を第１スリーブ材１１から分離すると、第１スリーブ材１１の上端縁３３からスラブ３８の上面４３（コンクリート３６の上面）までの寸法Ｌ８の分だけコンクリート３６が貫通孔３７に露出する。貫通孔３７では、スラブ３８の上面４３と貫通孔３７の内壁面４４とが直角に交差し、スラブ３８の上面４３と貫通孔３７の内壁面４４との交差箇所４５が直角に成形される。
【００６９】
第１スリーブ材１１が金属または合成樹脂から作られている場合、貫通孔３７に存在する第１スリーブ材１１がそのまま放置される。第１スリーブ材１１が紙から作られている場合は、貫通孔３７に存在する第１スリーブ材１１がそのまま放置される場合もあるが、貫通孔３７に存在する第１スリーブ材１１が貫通孔３７から取り除かれる場合もある。
【００７０】
第２スリーブ材１２が第１スリーブ材１１から分離され、スラブ３８の所定の箇所に貫通孔３７が形成された後、図示はしていないが、その貫通孔３７を利用した配管工事が行われる。配管工事においてスラブ用スリーブ材１０Ａ（第１スリーブ材１１）の内側（貫通孔３７）に延びるデッキプレート３５が切除され、スラブ３８の貫通孔３７に配管を通すことで、配管を上階から下階にまたは下階から上階に引き込む。貫通孔３７に配管を通した後、図示はしていないが、貫通孔３７にたとえば防火区画処理用の耐火キャップ部材、熱膨張性耐熱シール等の各部材が設置される。
【００７１】
スラブ用スリーブ材１０Ａは、デッキプレート３５に打設したコンクリート３６が硬化した後、第１スリーブ材１１と第２スリーブ材１２との連結を解除して第２スリーブ材１２を第１スリーブ材１１から取り外す（分離する）ことで、第１スリーブ材１１に囲繞された貫通孔３７がスラブ３８に形成されるから、スラブ用スリーブ材１０Ａを利用することで、コンクリート３６とデッキプレート３５とから作られたスラブ３８の所定の箇所に貫通孔３７を容易に形成することができる。スラブ用スリーブ材１０Ａは、コンクリート３６の側圧による第１および第２スリーブ材１１，１２の不用意な変形を防ぐことができるから、スラブ３８の所定の箇所に配管工事に要求される設計どおりの開口寸法の貫通孔を作ることができる。
【００７２】
スラブ用スリーブ材１０Ａは、第１スリーブ材１１と第２スリーブ材１２とを分離したときに、第１スリーブ材１１がコンクリート３６に埋没し、第１スリーブ材１１がコンクリート３６の上面４３から上方へ露出することがないから、貫通孔３７に対する配管工事を行う場合、従来技術のスリーブ材と異なり、第１スリーブ材１１を切除する必要はなく、切除作業にかかる手間と時間とを省くことができ、配管工事を短時間に効率よく行うことができる。
【００７３】
スラブ用スリーブ材１０Ａは、配管工事において第１スリーブ材１１を切除する必要がないから、配管工事にともなってスラブから上方へ露出する第１スリーブ材１１の部分を切除する専門作業員を配置する必要はなく、作業員を配置する場合と比較し、作業員に支払う人件費を省くことができ、配管工事を廉価に行うことができる。スラブ用スリーブ材１０Ａは、第１スリーブ材を切除する必要がないから、電動カッターを使用する必要もなく、火花が散る心配もないから、火気厳禁の箇所においてスラブ用スリーブ材１０Ａを利用した配管工事を行うことができるとともに、金鋸による手作業で第１スリーブ材１１を切断する必要もないから、火気厳禁の箇所においてスリーブ材１０Ａを利用したスリーブ工事を短時間に効率よく行うことができる。
【００７４】
スラブ用スリーブ材１０Ａは、それを形成する第１スリーブ材１１の全体と第２スリーブ材１２の連結下端部２３とがコンクリート３６に埋没し、第２スリーブ材１２の露出中間部２４と露出上端部２５とがコンクリート３６から露出することで、スラブ３８の上に溜まった雨水の階下への進入を防ぐことができる。スラブ用スリーブ材１０Ａは、第１スリーブ材１１が第２スリーブ材１２の蓋部２６によって閉塞されるから、スラブ３８の施工箇所が屋外に面し、コンクリート３６の打設から建物の屋根や壁が設置されるまでの期間中に雨が降ったとしても、第１および第２スリーブ材１１，１２への雨の進入を防ぐことができ、貫通孔３７から階下への雨漏れ（雨の滴下）を防ぐことができる。
【００７５】
スラブ用スリーブ材１０Ａは、第２スリーブ材１２が金属または合成樹脂のいずれかから作られている場合、スラブ３８の貫通孔３７に位置する第１スリーブ材１１から取り外された第２スリーブ材１２を他の第１スリーブ材１１に再び連結することで、第２スリーブ材１２を何度でも再利用することができるから、第２スリーブ材１２が無駄なることはなく、資材の節約を図ることができる。スラブ用スリーブ材１０Ａは、第１スリーブ材１１が紙から作られている場合、貫通孔３７に残存する第１スリーブ材１１を貫通孔３７から容易に取り除くことができ、貫通孔３７に第１スリーブ材１１を残さないという要求に応えることができる。
【００７６】
なお、従来技術のスラブ用スリーブ材を利用して形成されたスラブの貫通孔に対する配管工事を行う場合、既述のようにコンクリートから上方へ露出するスリーブ材の上半分を切除する際に貫通孔の上部が損壊し、貫通孔にたとえば防火区画処理用の耐火キャップ部材、熱膨張性耐熱シール等の各部材を設置することが困難になる場合があるが、スラブ用スリーブ材１０Ａは、それを利用して貫通孔３７を作った場合、スラブ３８の上面４３と貫通孔３７の内壁面４４との交差箇所４５が直角に成形されるとともに、交差箇所４５が損壊することはなく、防火区画処理用の各部材を容易かつ確実に設置することができる。
【００７７】
図１２は、他の一例として示すスラブ用スリーブ材１０Ｂの側面図であり、図１３は、他の一例として示す第２スリーブ材１２の側面図である。スラブ用スリーブ材１０Ｂが図１のそれと異なるところは、第２スリーブ材１２の蓋部２８（頂壁２２）に取っ手４２が取り付けられている点にあり、その他の構成は図１のスラブ用スリーブ材１０Ａのそれらと同一であるから、図１のスラブ用スリーブ材１０Ａと同一の符号を付すとともに、図１のスラブ用スリーブ材１０Ａの説明を援用することで、このスラブ用スリーブ材１０Ｂの構成の詳細な説明は省略する。
【００７８】
スラブ用スリーブ材１０Ｂは、図１のそれと同様に、コンクリート３６を打設する前のデッキプレート３５（図７援用）の上面４１に設置（固定）され、コンクリート３６およびデッキプレート３６から作られたスラブ３８の所定の箇所に貫通孔３７を形成する場合に利用される。スラブ用スリーブ材１０Ｂは、中空の第１スリーブ材１１と、第１スリーブ材１１の上方に配置される第２スリーブ材１２とから形成されている。第１スリーブ材１１は、図１のスラブ用スリーブ材１０Ａのそれと同一である。
【００７９】
第２スリーブ材１２の蓋部２６には、蓋部２６から上方に延びるコ字型の取っ手４２が取り付けられている。第２スリーブ材１２が金属から作られている場合、取っ手４２も金属から作られ、第２スリーブ材１２が合成樹脂から作られている場合、取っ手４２も合成樹脂から作られる。第２スリーブ材１２が紙から作られている場合、取っ手４２が金属または合成樹脂あるいは紙から作られる。第２スリーブ材１２のその他の構成は図１のスラブ用スリーブ材１０Ａのそれと同一である。
【００８０】
スラブ用スリーブ材１０Ｂを作成する手順は、図１のスラブ用スリーブ材１０Ａのそれと同一である。スラブ用スリーブ材１０Ｂを利用してスラブ３８の所定の箇所に貫通孔３７を形成する手順は、図１のスラブ用スリーブ材１０Ａのそれと略同一であるが、スラブ用スリーブ材１０Ｂでは、第２スリーブ材１２の蓋部２６に取り付けられた取っ手４２を把持し、第２スリーブ材１２を捩りながら第２スリーブ材１２を第１スリーブ材１１の上方へ引っ張り上げる。
【００８１】
取っ手４２を利用して第２スリーブ材１２を引っ張り上げると、第１スリーブ材１１と第２スリーブ材１２との連結が解除され、第１スリーブ材１１から第２スリーブ材１２が取り外される（分離される）とともに、第２スリーブ材１２がコンクリート３６から引き抜かれる。第２スリーブ材１２が第１スリーブ材１１から分離されることで、スラブ３８にその厚み方向へ貫通する貫通孔３７が形成される（図１１参照）。
【００８２】
スラブ用スリーブ材１０Ｂは、図１のスラブ用スリーブ材１０Ａと同様の効果を有する。なお、スラブ用スリーブ材１０Ｂは、第２スリーブ材１２の蓋部２６に取り付けられた取っ手４２を把持して第２スリーブ材１２を第１スリーブ材１１の上方に引っ張り上げることができるから、スラブ用スリーブ材１０Ｂを設置したデッキプレート３５にコンクリート３６を打設し、コンクリート３６が硬化した後に第１スリーブ材１１と第２スリーブ材１２とを分離する場合、第２スリーブ材１２の取っ手４２を利用して第２スリーブ材１２を第１スリーブ材１１から容易に分離することができ、第１スリーブ材１１と第２スリーブ材１２とから形成されたスラブ用スリーブ材１０Ｂを利用してスラブ３８に貫通孔３７を簡単に作ることができる。
【符号の説明】
【００８３】
１０Ａ  スラブ用スリーブ材
１０Ｂ  スラブ用スリーブ材
１１    第１スリーブ材
１２    第２スリーブ材
１３    周壁
１４    下端部
１５    中間部
１６    上端部
１７    固定部材（固定手段）
１８    第１連結板
１９    第２連結板
２０    孔
２１    周壁
２２    頂壁
２３    連結下端部
２４    露出中間部（露出部）
２５    露出上端部（露出部）
２６    蓋部
２７    外周縁部
２８    フランジ
２９    ズレ止めプレート（連結手段）
３０    連結板
３１    下端縁
３２    差込板
３３    上端縁
３４    止水テープ（連結手段）
３５    デッキプレート
３６    コンクリート
３７    貫通孔
３８    スラブ
３９    ビス（ネジ）
４０    ガムテープ（固定手段）
４１    上面
４２    取っ手
４３    上面
４４    内壁面
４５    交差箇所
【図１】
0006545974.tif 000002
【図２】
0006545974.tif 000003
【図３】
0006545974.tif 000004
【図４】
0006545974.tif 000005
【図５】
0006545974.tif 000006
【図６】
0006545974.tif 000007
【図７】
0006545974.tif 000008
【図８】
0006545974.tif 000009
【図９】
0006545974.tif 000010
【図１０】
0006545974.tif 000011
【図１１】
0006545974.tif 000012
【図１２】
0006545974.tif 000013
【図１３】
0006545974.tif 000014